(57)【要約】【課題】ユーザ仕様に基づく配電盤仕様を、ユーザとの協議等に基づいて任意に変更でき、その場で決定することができる配電盤仕様決定支援システムを提供すること。【解決手段】配電盤５内に設置される機器１，２，３及びその接続関係４が決定されると、その配電盤５の盤面９の形状、この盤面９に取付けられる標準的な器具７及びこれら器具７の配置構成が画像表示装置１２に表示される。この表示された画像に基づき、表示操作手段１４により、表示された器具を表すオブジェクトを指定し、任意の位置に移動させることにより、ユーザの希望にその場で対応することができる。この場合、移動先が配電盤設計上不適切な位置でないか、器具毎に設定された取付けしろ６や盤側に設定された器具取付け範囲８により、位置判定手段１５によりチェックできるので、後の設計業務に支障をきたすことはない。【選択図】  図１
2005049969.tif 000002
【特許請求の範囲】
【請求項１】
配電盤内に設置される機器及びその接続関係に対応して設定され、この配電盤の盤面形状、この盤面に取付けられる標準的な器具及びこれら器具の配置構成を画像表示するための標準器具取付けデータと、
この標準器具取付けデータを画像表示する画像表示装置と、
前記盤面に取付けられる器具毎に設定され、他器具との干渉無しで取付け可能な取付けしろのデータ及び前記盤面の器具取付け範囲を設定したデータと、
前記画像表示装置に表示された器具を指定し任意の位置に移動させる画像操作手段と、
この画像操作手段により移動された器具の取付けしろが、他器具の取付けしろ外か、前記器具取付け範囲内かを判定する移動先判定手段と、
を備えたことを特徴とする配電盤仕様決定支援システム。
【請求項２】
移動先判定手段は、移動された器具の取付けしろが、他器具の取付けしろ内、或いは前記器具取付範囲外のいずれかの場合、前記移動を阻止することを特徴とする請求項１に記載の配電盤仕様決定支援システム。
【請求項３】
移動先判定手段は、移動された器具の取付けしろが、他器具の取付けしろ内、或いは前記器具取付範囲外のいずれかの場合、前記移動に関する注意情報を出力することを特徴とする請求項１または請求項２に記載の配電盤仕様決定支援システム。
【請求項４】
盤面器具取付けデータに表現された器具以外の任意の器具を表すオブジェクトテンプレートを設け、画像操作手段により、このオブジェクトテンプレートから任意の器具を指定し、これを前記標準器具取付けデータに基づく画像内の任意の位置に貼り付けることを特徴とする請求項１に記載の配電盤仕様決定支援システム。
【発明の詳細な説明】
【０００１】
【発明の属する技術分野】
本発明は、配電盤の盤面仕様検討時における取付け器具の種別、台数、位置等の迅速な決定を可能とする配電盤仕様決定支援システムに関する。
【０００２】
【従来の技術】
受配電システム等に用いられる配電盤の仕様決定時、その盤面（正面扉面）に取付けられる計器、継電器などの数量、取付け位置は、基本的に単線接続図とユーザ要求仕様をもとに検討し、その都度、配電盤マニュアルを参照して図面を作成する。そして、その結果についてユーザとの協議および図面修正を重ねて最終的な仕様を決定している。このため、迅速な仕様決定の阻害要因となっている。また、ユーザとの協議に用いられる配電盤マニュアルは、往々にしてメーカの標準である場合が多く、必ずしもユーザ要求仕様を満足する形態となっていない。
【０００３】
ところで、近年、配電盤の設計・作図にコンピュータを用い、作業の迅速化・高機能化をはかったものが提案されている（例えば、特許文献１参照）。
【０００４】
【特許文献１】
特開平９−２２４２０号公報
【０００５】
【発明が解決しようとする課題】
本発明は、このようなコンピュータ技術を用いて、配電盤仕様決定を迅速・かつ高機能化しようとするものである。すなわち、従来のユーザとの仕様決定作業は、配電盤マニュアルに頼って、ユーザとの協議を重ね、図面の作成及び修正を繰り返したため、迅速な仕様決定が困難であった。
【０００６】
本発明の目的は、ユーザ仕様に基づく配電盤仕様を、ユーザとの協議等に基づいて任意に変更でき、その場で決定することができる配電盤仕様決定支援システムを提供することにある。
【０００７】
【課題を解決するための手段】
本発明による配電盤仕様決定支援システムは、配電盤内に設置される機器及びその接続関係に対応して設定され、この配電盤の盤面形状、この盤面に取付けられる標準的な器具及びこれら器具の配置構成を画像表示するための標準器具取付けデータと、この標準器具取付けデータを画像表示する画像表示装置と、前記盤面に取付けられる器具毎に設定され、他器具との干渉無しで取付け可能な取付けしろのデータ及び前記盤面の器具取付け範囲を設定したデータと、前記画像表示装置に表示された器具を指定し任意の位置に移動させる画像操作手段と、この画像操作手段により移動された器具の取付けしろが、他器具の取付けしろ外か、前記器具取付範囲内かを判定する移動先判定手段とを備えたことを特徴とする。
【０００８】
上記移動先判定手段は、移動された器具の取付けしろが、他器具の取付けしろ内、或いは前記器具取付範囲外のいずれかの場合、前記移動を阻止する。
【０００９】
また、移動先判定手段は、移動された器具の取付けしろが、他器具の取付けしろ内、或いは前記器具取付範囲外のいずれかの場合、前記移動に関する注意情報を出力するようにしてもよい。
【００１０】
本発明では、さらに、標準器具取付けデータに表現された器具以外の任意の器具を表すオブジェクトテンプレートと、このオブジェクトテンプレートから任意の器具を指定し、これを前記標準器具取付けデータに基づく画像内の任意の位置に貼り付ける画像貼り付け手段とを設けてもよい。
【００１１】
これらの発明では、配電盤内に設置される機器及びその接続関係が決定されると、その配電盤の盤面形状、この盤面に取付けられる標準的な器具及びこれら器具の配置構成が画像表示装置に表示される。この表示された画像に基づき、画像移動手段により表示された器具を指定し、任意の位置に移動させることにより、ユーザの希望にその場で対応することができる。この場合、移動先が配電盤設計上不適切な位置でないか、器具毎に設定された取付けしろや盤側に設定された器具取付け範囲により、移動先判定手段によりチェックできるので、後の設計業務に支障をきたすことはない。
【００１２】
【発明の実施の形態】
以下、本発明による配電盤仕様決定支援システムの一実施の形態を、図面を参照して詳細に説明する。
【００１３】
図１はこの実施の形態のシステム構成を示すブロック図であり、図２は配電盤の盤面器具取付状態を説明する正面図、図３はこの実施の形態に用いる配置接続図の一例を示す図、図４は仕様決定過程を説明するフローチャートである。
【００１４】
図１において、１１Ａは配置接続図データで、受配電システムを構成する機器とその接続関係を表す図示しない単線接続図に基づいて、図３のように作成され、図面データとしてメモリ１１に記憶される。すなわち、単線接続図に示された各種の機器１，２，３及び接続用導体４を、これらを収容する配電盤５単位に対応させて表現する。
【００１５】
１１Ｂは標準器具取付けデータで、図３で示した配置接続図の各配電盤５に対応して設定され、図２で示すように、その配電盤の盤面形状、この盤面に取付けられる標準的な器具及びこれら器具の配置構成を画像表示するためのデータとしてメモリ１１に記憶される。なお、図３で示したように、配電盤５の種類によって、内部に設置される機器及びその接続関係が異なり、盤面（正面扉面）に取付けられる器具（計器、継電器、操作スイッチ等）の種類や数が異なる。例えば、受配電システムでは、受電用の配電盤、変圧器用の配電盤、配電用の配電盤、補機用の配電盤等が用いられる。このため、標準器具取付けデータとして、各配電盤毎に、その盤面９に取付けられる標準的な使用器具７及びその配置関係を設定しておく。
【００１６】
１１Ｃはオブジェクトテンプレートデータで、各種配電盤の盤面に取付け可能な器具のオブジェクトを画像表示するためのデータとして、メモリ１１に記憶されている。
【００１７】
１１Ｄは器具取付けしろデータ、１１Ｅは器具取付範囲データで、いずれも器具取付け位置を規制するデータとして、メモリ１１に記憶されている。すなわち、取付けしろデータ１１Ｄは、図２で示すように、盤面取付け器具７毎に設定され、他の器具との干渉無しで取付け可能な取付けしろ６のデータである。また、器具取付け範囲データは、図２で示すように、配電盤の盤面９における器具取付け範囲８を設定したデータである。
【００１８】
１２は画像表示装置で、画像制御手段１３により、前述した各種データ１１Ａ，１１Ｂ，１１Ｃ，１１Ｄ，１１Ｅを画像表示する。
【００１９】
１４は画像操作手段で、標準器具取付けデータ１１Ｂに基づいて画像表示装置１２に表示された器具を指定し、任意の位置に移動させたり、標準器具取付けデータ１１Ｂに表現された器具以外の任意の器具をオブジェクトテンプレートから指定し、これを表示画像内の任意の位置に貼り付けるたりする。
【００２０】
１５は移動先判定手段で、画像操作手段１４により移動され、貼り付けられた器具の位置が適正かを判定する。すなわち、図２において破線で示す移動後の器具７の取付けしろ６が、他の器具の取付けしろの外に位置し、重なっていないか、或いは、移動した器具７の位置が器具取付け範囲８内に収まっているか、を判定する。この移動先判定手段１５は、移動先が適正でないと判断した場合、すなわち、移動後の器具７の取付けしろ６が、他の器具の取付けしろ内に位置して重なっている、或いは器具取付範囲８から外れている、のいずれかの場合、移動を阻止したり、或いは注意情報を出力する。
【００２１】
次に、図４を用いて仕様決定過程を説明する。
【００２２】
先ず、図３で示した配置接続図のデータ１１Ａを読み出し、画像表示装置１２上に表示させる（ステップ４０１）。この配置接続図から、使用決定対象の配電盤５を選定する（ステップ４０２）。すなわち、前述したように配電盤５の種類によって盤面に取付けられる器具７の数や種類、それらの配置が異なるので、仕様決定対象の配電盤５を表示された配置接続図の中から選定する。
【００２３】
この配電盤の選定操作により選定された配電盤に対応して、予め設定された標準器具取付けデータ１１Ｂを読み出し、図２において実線で示すように、標準的な使用器具７及びその位置関係を画像表示装置１２上に表示させる（ステップ４０３）。この表示された画像を確認し、図２の実線で示した標準器具取付け状態でよければ、そのまま配電盤の盤面器具取付けに関する仕様を確定する（ステップ４１１）。
【００２４】
これに対し、ユーザの要望などにより、図２の実線で示した器具の取付け位置を別の位置に変更したい場合は、画像操作手段１４により画像表示された器具のうち、移動させたい器具の表示シンボルをカーソル等で指定し、これを矢印で示すように破線で示す任意の位置に移動させる（ステップ４０５）。この移動に伴い、位置判定手段１５により移動対象の表示シンボルが適切な位置に移動しているか、器具取付けしろデータ１１Ｄや取付け範囲データ１１Ｅを用いて判定する（ステップ４０６）。
【００２５】
この判定の結果、移動後の器具表示シンボルの取付けしろ６が、図２で示した取付け範囲８から外れたり（ステップ４０７のＮ）、他の取付けしろ内に入り重なってしまった場合（ステップ４０８のＮ）は、再度移動対象の表示シンボルを移動させる（ステップ４０５）。この操作を、位置判定（ステップ４０６）が適切な位置と判定（ステップ４０８のＹ）（ステップ４０８のＹ）するまで繰り返す。
【００２６】
次に、表示されていない他の器具の追加が無いか判断し（ステップ４０９）、追加が無ければ、そのまま配電盤の盤面器具取付けに関する仕様を確定する（ステップ４１１）。追加がある場合は、画像操作手段１４により、オブジェクトテンプレートデータ１１Ｃから追加要求のある任意の器具オブジェクトを指定し、これを画像表示された配電盤盤面の任意の位置に貼り付ける（ステップ４１０）。
【００２７】
貼り付け後、その位置が適正か判定し（ステップ４０６）、適正でなければ適正な位置に配置する（ステップ４０５〜ステップ４０８）。これらの操作を器具の追加要求が無くなるまで実行し、追加器具すべての貼り付けが完了したことにより、配電盤の盤面器具取付けに関する仕様を確定する（ステップ４１１）。
【００２８】
このように、単線接続図から作成される配置接続図（図３）により配電盤５を選択し、その盤面標準取付け器具を自動図示表示する。この場合、盤面に取付けられる器具の数は、配電盤５の１面に配置する分岐回路数によって異なるが、選択した配電盤の配置接続図により判別可能である。自動表示（標準構成）された盤面図でユーザの確認がとれればその場で仕様は確定することになり、迅速な仕様決定となる。
【００２９】
また、標準取付を変更する場合、位置変更を要求された器具を移動要求位置に移動して貼り付けることにより、その場で仕様を確認することができる。このようなプロセスは、従来では要求仕様を確認し、新たに図面化して再度確認作業を行うことになり、仕様確認作業の効率低下となっていた。
【００３０】
しかし、上述のように、表示された器具を指定し、移動して貼り付けることにより容易かつ迅速に対応できる。また、オブジェクトの移動及び貼り付け位置に制限がないと、移動位置によっては周囲器具と近接しすぎるなど物理的に取付け、配線ができないことがあった。このような不適合は、後日実際の生産設計を行なわなければ判明せず、不適合が生じた場合のロスは多大なものとなっていた。
【００３１】
しかし、この実施の形態のように、予め各種器具の、いわゆる取付けしろを設定しておき、そのエリアに他器具の取付けしろが重なった場合は移動・貼り付けができないようにインタロックを掛けることができる。この結果、最接近位置に自動修正貼り付けすることができ、製造可能な仕様として図面化することができる。さらに確定した仕様（図面）データは各種器具の取付け位置寸法表示が可能で、あるいは以降の製造データ（制御配線ハーネス化など）に利用することも可能である。
【００３２】
なお、器具毎に設定した取付けしろ６や取付け範囲８を、図２で示した配電盤盤面図上に表示すると、器具の移動や貼り付け時、器具相互の取付けしろ６が重ならず、かつ取付け範囲８から外れない適切な位置に、移動・貼り付けするよう注意を喚起することができる。
【００３３】
このようなコンピュータ技術をユーザとの仕様決定に用いることにより、上述のように、仕様決定の迅速化・高機能化が可能となる。例えば、ユーザとの協議の席上に携帯型のパソコンを持参し、このパソコン上に配電盤の盤面図を表示し、ユーザの要求を入れながらその場で任意に変更修正することができる。しかも、変更・修正結果は、適正なものであり、後の生産設計に支障を与えるような変更や修正が行なわれることは無く、仕様決定が迅速化・高機能化する。
【００３４】
【発明の効果】
本発明によれば、従来、受配電システム等の仕様検討に多くの時間を必要とし、後戻り発生の頻度が高い配電盤盤面取付け器具の種類、取付位置の仕様検討において、様々なユーザ要求仕様とメーカ標準の変更許容範囲の合意を画面上で容易に迅速に達成し、情報を共有することができる。
【図面の簡単な説明】
【図１】本発明による配電盤仕様決定支援システムの一実施の形態を示すブロック図である。
【図２】同上一実施の形態に用いる配電盤盤面図の一例を示す図である。
【図３】同上一実施の形態に用いる配置接続図の一例を示す図である。
【図４】同上一実施の形態における仕様決定過程を説明するフローチャートである。
【符号の説明】
５    配電盤
６    取付けしろ
７    器具
８    取付け範囲
９    盤面
１１Ａ    配置接続図データ
１１Ｂ    標準器具取付けデータ
１１Ｃ    オブジェクトテンプレートデータ
１１Ｄ    取付けしろデータ
１１Ｅ    取付け範囲データ
１２    画面表示装置
１３    表示制御手段
１４    表示操作手段
１５    位置判定手段
【図１】
2005049969.tif 000003
【図２】
2005049969.tif 000004
【図３】
2005049969.tif 000005
【図４】
2005049969.tif 000006